(57)【特許請求の範囲】
【請求項１】
クライアント信号を伝送フレーム信号にマッピングし、伝送フレーム信号の送受を行う無瞬断切替装置であって、
送信側無瞬断切替装置と受信側無瞬断切替装置と、を有し、
前記送信側無瞬断切替装置は、
クライアント信号を受信し、光信号から電気信号に変換を行う第１の受信インタフェース手段と、
前記第１の受信インタフェース手段で複数に分岐されたクライアント信号を一時的に記憶する複数の記憶手段と、
前記受信側無瞬断切替装置から遅延差情報の通知を受ける第１の外部通信手段と、
前記記憶手段に格納された前記クライアント信号の送信量を、前記第１の外部通信手段から取得した前記遅延差情報に基づいて制御する複数の送信量調整手段と、
前記記憶手段に格納された前記クライアント信号を伝送フレーム信号に収容する複数のマッピング手段と、
前記マッピング手段で収容された前記伝送フレーム信号を電気信号から光信号に変換し伝送路に出力する複数の第１の送信インタフェース手段と、
を有し、
前記受信側無瞬断切替装置は、
現用系及び予備系の前記伝送フレーム信号を受信し、光信号から電気信号に変換する複数の第２の受信インタフェース手段と、
前記第２のインタフェース手段で受信した前記伝送フレーム信号からクライアント信号の復元を行う複数のクライアント信号復元手段と、
前記クライアント信号復元手段で復元された複数のクライアント信号間の遅延差を検出する遅延差検出手段と、
検出された前記複数のクライアント信号間の遅延差情報を通知する第２の外部通信手段と、
前記遅延差検出手段または前記第２の外部通信手段から通知された前記遅延差情報をもとに複数のクライアント信号から1ないし複数のクライアント信号を選択する信号選択手段と、
前記信号選択手段で選択された前記クライアント信号を電気信号から光信号に変換し伝送路へ出力する第２の送信インタフェース手段と、
を有し、
前記伝送フレームにOTN(Optical  Transport  Network)信号を用い、OTNフレームの送受信を行う場合に、
前記送信側無瞬断切替装置は、
前記遅延差情報をもとにODU(Optical  Data  Unit)フレームに収容されるクライアント信号のデータ量を制御するデータ量制御手段と、
前記記憶手段に格納されている前記クライアント信号を前記データ量制御手段のデータ量の制御に基づいて、ODUフレームに収容するODU生成手段と、
前記ODU生成手段から出力された1ないし複数のODUフレームを時分割多重する時分割多重手段と、
前記時分割多重手段で多重された信号に、オーバヘッドおよびFEC(Forward  Error  Correction)を付与しOTU（Optical  Transport  Unit）フレームを生成するOTU生成手段と、
を更に有し、
前記受信側無瞬断切替装置は、
前記送信側無瞬断切替装置から受信したOTNフレームのOTU終端を行うOTU終端手段と、
前記OTU終端手段で終端された信号を時分割し、ODU信号を復元する多重分離手段と、
前記多重分離手段で復元されたODU信号を終端し、クライアント信号を復元するODU終端手段と、
を更に有することを特徴とする無瞬断切替装置。
【請求項２】
前記遅延差検出手段は、
前記クライアント信号に復元される前の伝送フレームから特定のビットパターンを検出し、検出位置から現用系及び予備系の遅延差を測定する手段を含む
請求項１記載の無瞬断切替装置。
【請求項３】
前記送信側無瞬断切替装置は、
前記第１の受信インタフェース手段から出力されるクライアント信号を分岐または出力先の切替を行う第１の信号選択手段と、
1ないし複数のクライアント信号を一時的に記憶する共有メモリと、
前記共有メモリまたは前記第１の信号選択部から出力されるクライアント信号のいずれかを選択し、後段の前記マッピング手段に前記クライアント信号を出力する第２の信号選択手段と、
を更に有する請求項１または２記載の無瞬断切替装置。
【請求項４】
クライアント信号を伝送フレーム信号にマッピングし、伝送フレーム信号の送受を行う送信側無瞬断切替装置と受信側無瞬断切替装置における無瞬断切替方法であって、
前記送信側無瞬断切替装置において、
クライアント信号を受信し、光信号から電気信号に変換を行い、分岐したクライアント信号を複数の記憶手段に格納する第１の信号受信ステップと、
前記受信側無瞬断切替装置から取得した遅延差情報に基づいて、前記記憶手段から読み出す前記クライアント信号の量を制御する送信量調整ステップと、
前記記憶手段から読み出された前記クライアント信号を伝送フレーム信号に収容するマッピングステップと、
収容された前記伝送フレーム信号を電気信号から光信号に変換し伝送路に出力する第１の送信ステップと、
を行い、
前記受信側無瞬断切替装置において、
現用系及び予備系の前記伝送フレーム信号を受信し、光信号から電気信号に変換する第２の受信ステップと、
受信した前記伝送フレーム信号からクライアント信号の復元を行うクライアント信号復元ステップと、
復元された複数のクライアント信号間の遅延差を検出する遅延差検出ステップと、
検出された前記複数のクライアント信号間の遅延差情報を前記送信側無瞬断切替装置に通知する外部通信ステップと、
前記遅延差情報に基づいて、複数のクライアント信号から1ないし複数のクライアント信号を選択する信号選択ステップと、
選択された前記クライアント信号を電気信号から光信号に変換し伝送路へ出力する第２の送信ステップと、
を行い、
前記伝送フレームにOTN(Optical  Transport  Network)信号を用い、OTNフレームの送受信を行う場合に、
前記送信側無瞬断切替装置において、
前記記憶手段に格納されている前記クライアント信号を、前記遅延差情報に基づいてODU(Optical  Data  Unit)フレームに収容されるクライアント信号のデータ量を調整してODUフレームに収容するODU生成ステップと、
1ないし複数のODUフレームを時分割多重する時分割多重ステップと、
多重された信号に、オーバヘッドおよびFEC(Forward  Error  Correction)を付与しOTU（Optical  Transport  Unit）フレームを生成するOTU生成ステップと、
を更に行い、
前記受信側無瞬断切替装置において、
前記送信側無瞬断切替装置から受信したOTNフレームを終端するOTU終端ステップと、
終端された信号を時分割し、ODU信号を復元する多重分離ステップと、
復元されたODU信号を終端し、クライアント信号を復元するODU終端ステップと、
を更に行うことを特徴とする無瞬断切替方法。
【請求項５】
前記遅延差検出ステップにおいて、
前記クライアント信号に復元される前の伝送フレームから特定のビットパターンを検出し、検出位置から現用系及び予備系の遅延差を測定する
請求項４記載の無瞬断切替方法。
【請求項６】
前記送信側無瞬断切替装置において、
前記マッピングステップの前に、
前記第１の受信ステップにより受信した前記クライアント信号を分岐または出力先の切替を行う第１の信号選択ステップと、
1ないし複数のクライアント信号を一時的に記憶する共有メモリまたは前記第１の信号選択ステップにより選択されたクライアント信号のいずれかを選択し、後段の前記マッピング手段に前記クライアント信号を出力する第２の信号選択ステップと、
を更に行う請求項４または５記載の無瞬断切替方法。
【発明の詳細な説明】
【技術分野】
【０００１】
本発明は、無瞬断切替装置及び方法に係り、特に、現用系及び予備系の切り替えを無瞬断で行うための無瞬断切替装置及び方法に関する。
【背景技術】
【０００２】
基幹ネットワークに広く普及しているSDH (Synchronous Digital Hierarchy) (例えば、非特許文献１参照)には支障移転または回線断時にビットの欠落なく経路の切替を行うプロテクション機能が備わっている。このような無瞬断切替機能は現用系及び予備系に同一信号を送出し、受信側には経路長差を補償するメモリまたは遅延回路が具備されている。オペレータからの指示または信号断などを切替トリガとして、現用系及び予備系の信号切替を実行する。なお無瞬断切替はメモリ内部のデータ読み出し位置を変更することにより切替が可能で、1ビットの欠落なく切替を行うことが可能である。
【０００３】
特許文献1では伝送路の品質をモニタリングし、突発的な原因で伝送路が劣化または断となった場合に無瞬断で切替を行う無瞬断切替装置が考案されている。前記無瞬断切替装置には現用系の伝送路及び予備系の伝送路から信号を受信するインタフェース回路、受信した信号の信号断を検出する信号断検出回路、受信した現用系信号及び予備系信号間の遅延差を調整する遅延回路、前記信号断検出回路から出力されるアラーム信号をトリガに現用系から予備系信号に切替を行う切替回路を具備している。信号断回路は光部品段での信号光パワーをモニタリングし、一定のパワーを下回った場合切替トリガとなるアラーム信号を出力する。アラーム信号を受信した時点で切り替え信号は現用系から予備系に信号を切替える。
【先行技術文献】
【非特許文献】
【０００４】
【非特許文献１】ITU-T Rec. G.707/Y.1322 "Network node interface for the synchronous digital hierarchy (SDH)" 01/2007
【特許文献】
【０００５】
【特許文献１】特開平５−３４４１０４号公報
【発明の概要】
【発明が解決しようとする課題】
【０００６】
しかしながら、前記伝送路切替装置は現用系及び予備系の遅延差を揃えた状態に保つ必要があるため、最大の遅延長に対応した遅延量を常に用意する必要がある。そのため、現用系及び予備系ともに最大の経路長に合わせた遅延が挿入されるため、リアルタイム要求の高いIP TVやVoD (Video on Demand)といったサービスの場合、サービス品質の劣化を引き起こしてしまうといった課題がある。
【０００７】
本発明は、上記の点に鑑みなされたもので、現用系及び予備系を有する伝送切替装置において最小遅延で無瞬断切替が可能な無瞬断切替装置及び方法を提供することを目的とする。
【課題を解決するための手段】
【０００８】
上記の課題を解決するために、本発明（請求項１）は、クライアント信号を伝送フレーム信号にマッピングし、伝送フレーム信号の送受を行う無瞬断切替装置であって、
送信側無瞬断切替装置と受信側無瞬断切替装置と、を有し、
前記送信側無瞬断切替装置は、
クライアント信号を受信し、光信号から電気信号に変換を行う第１の受信インタフェース手段と、
前記第１の受信インタフェース手段で複数に分岐されたクライアント信号を一時的に記憶する複数の記憶手段と、
前記受信側無瞬断切替装置から遅延差情報の通知を受ける第１の外部通信手段と、
前記記憶手段に格納された前記クライアント信号の送信量を、前記第１の外部通信手段から取得した前記遅延差情報に基づいて制御する複数の送信量調整手段と、
前記記憶手段に格納された前記クライアント信号を伝送フレーム信号に収容する複数のマッピング手段と、
前記マッピング手段で収容された前記伝送フレーム信号を電気信号から光信号に変換し伝送路に出力する複数の第１の送信インタフェース手段と、
を有し、
前記受信側無瞬断切替装置は、
現用系及び予備系の前記伝送フレーム信号を受信し、光信号から電気信号に変換する複数の第２の受信インタフェース手段と、
前記第２のインタフェース手段で受信した前記伝送フレーム信号からクライアント信号の復元を行う複数のクライアント信号復元手段と、
前記クライアント信号復元手段で復元された複数のクライアント信号間の遅延差を検出する遅延差検出手段と、
検出された前記複数のクライアント信号間の遅延差情報を通知する第２の外部通信手段と、
前記遅延差検出手段または前記第２の外部通信手段から通知された前記遅延差情報をもとに複数のクライアント信号から1ないし複数のクライアント信号を選択する信号選択手段と、
前記信号選択手段で選択された前記クライアント信号を電気信号から光信号に変換し伝送路へ出力する第２の送信インタフェース手段と、
を有し、
前記伝送フレームにOTN(Optical  Transport  Network)信号を用い、OTNフレームの送受信を行う場合に、
前記送信側無瞬断切替装置は、
前記遅延差情報をもとにODU(Optical  Data  Unit)フレームに収容されるクライアント信号のデータ量を制御するデータ量制御手段と、
前記記憶手段に格納されている前記クライアント信号を前記データ量制御手段のデータ量の制御に基づいて、ODUフレームに収容するODU生成手段と、
前記ODU生成手段から出力された1ないし複数のODUフレームを時分割多重する時分割多重手段と、
前記時分割多重手段で多重された信号に、オーバヘッドおよびFEC(Forward  Error  Correction)を付与しOTU（Optical  Transport  Unit）フレームを生成するOTU生成手段と、
を更に有し、
前記受信側無瞬断切替装置は、
前記送信側無瞬断切替装置から受信したOTNフレームのOTU終端を行うOTU終端手段と、
前記OTU終端手段で終端された信号を時分割し、ODU信号を復元する多重分離手段と、
前記多重分離手段で復元されたODU信号を終端し、クライアント信号を復元するODU終端手段と、
を更に有する。
【００１０】
また、本発明（請求項２）は、請求項１の前記遅延差検出手段に、
前記クライアント信号に復元される前の伝送フレームから特定のビットパターンを検出し、検出位置から現用系及び予備系の遅延差を測定する手段を含む。
【００１１】
また、本発明（請求項３）は、請求項１または２の前記送信側無瞬断切替装置において、
前記第１の受信インタフェース手段から出力されるクライアント信号を分岐または出力先の切替を行う第１の信号選択手段と、
1ないし複数のクライアント信号を一時的に記憶する共有メモリと、
前記共有メモリまたは前記第１の信号選択部から出力されるクライアント信号のいずれかを選択し、後段の前記マッピング手段に前記クライアント信号を出力する第２の信号選択手段と、を更に有する。
【００１２】
本発明（請求項４）は、クライアント信号を伝送フレーム信号にマッピングし、伝送フレーム信号の送受を行う送信側無瞬断切替装置と受信側無瞬断切替装置における無瞬断切替方法であって、
前記送信側無瞬断切替装置において、
クライアント信号を受信し、光信号から電気信号に変換を行い、分岐したクライアント信号を複数の記憶手段に格納する第１の信号受信ステップと、
前記受信側無瞬断切替装置から取得した遅延差情報に基づいて、前記記憶手段から読み出す前記クライアント信号の量を制御する送信量調整ステップと、
前記記憶手段から読み出された前記クライアント信号を伝送フレーム信号に収容するマッピングステップと、
収容された前記伝送フレーム信号を電気信号から光信号に変換し伝送路に出力する第１の送信ステップと、
を行い、
前記受信側無瞬断切替装置において、
現用系及び予備系の前記伝送フレーム信号を受信し、光信号から電気信号に変換する第２の受信ステップと、
受信した前記伝送フレーム信号からクライアント信号の復元を行うクライアント信号復元ステップと、
復元された複数のクライアント信号間の遅延差を検出する遅延差検出ステップと、
検出された前記複数のクライアント信号間の遅延差情報を前記送信側無瞬断切替装置に通知する外部通信ステップと、
前記遅延差情報に基づいて、複数のクライアント信号から1ないし複数のクライアント信号を選択する信号選択ステップと、
選択された前記クライアント信号を電気信号から光信号に変換し伝送路へ出力する第２の送信ステップと、
を行い、
前記伝送フレームにOTN(Optical  Transport  Network)信号を用い、OTNフレームの送受信を行う場合に、
前記送信側無瞬断切替装置において、
前記記憶手段に格納されている前記クライアント信号を、前記遅延差情報に基づいてODU(Optical  Data  Unit)フレームに収容されるクライアント信号のデータ量を調整してODUフレームに収容するODU生成ステップと、
1ないし複数のODUフレームを時分割多重する時分割多重ステップと、
多重された信号に、オーバヘッドおよびFEC(Forward  Error  Correction)を付与しOTU（Optical  Transport  Unit）フレームを生成するOTU生成ステップと、
を更に行い、
前記受信側無瞬断切替装置において、
前記送信側無瞬断切替装置から受信したOTNフレームを終端するOTU終端ステップと、
終端された信号を時分割し、ODU信号を復元する多重分離ステップと、
復元されたODU信号を終端し、クライアント信号を復元するODU終端ステップと、
を更に行う。
【００１４】
また、本発明（請求項５）は、請求項４の前記遅延差検出ステップにおいて、
前記クライアント信号に復元される前の伝送フレームから特定のビットパターンを検出し、検出位置から現用系及び予備系の遅延差を測定する。
【００１５】
また、本発明（請求項６）は、請求項４または５の前記送信側無瞬断切替装置において、
前記マッピングステップの前に、
前記第１の受信ステップにより受信した前記クライアント信号を分岐または出力先の切替を行う第１の信号選択ステップと、
1ないし複数のクライアント信号を一時的に記憶する共有メモリまたは前記第１の信号選択ステップにより選択されたクライアント信号のいずれかを選択し、後段の前記マッピング手段に前記クライアント信号を出力する第２の信号選択ステップと、を更に行う。
【発明の効果】
【００１６】
上記のように、本発明によれば、受信側で検出した現用系及び予備系の遅延差の情報を送信側で受信し、切替が必要な場合のみ、前記遅延差情報に基づいて送信側で両系のデータ読み出し量を調整することにより、無瞬断切替を実行することが可能であり、通常時は最小遅延で運用することが可能となる。
【図面の簡単な説明】
【００１７】
【図１】本発明の第１の実施の形態における送信側無瞬断切替装置の構成図である。
【図２】本発明の第１の実施の形態における受信側無瞬断切替装置の構成図である。
【図３】本発明の第２の実施の形態における送信側無瞬断切替装置の構成図である。
【図４】本発明の第２の実施の形態における受信側無瞬断切替装置の構成図である。
【図５】本発明の第２の実施の形態における切替までのフローチャートである。
【図６】本発明の第３の実施の形態における受信側無瞬断切替装置の構成図である。
【図７】本発明の第４の実施の形態における送信側無瞬断切替装置の構成図である。
【発明を実施するための形態】
【００１８】
以下図面と共に、本発明の実施の形態を説明する。
【００１９】
［第１の実施の形態］
図１は、本発明の第１の実施の形態における送信側無瞬断切替装置の構成を示す。
【００２０】
同図に示す送信側無瞬断切替装置１００は、受信インタフェース（ＩＦ）部１１０、外部通信部１２０、送信量調整部１３０、２つのメモリ１４０１（現用系），１４０２（予備系）、２つのマッピング部１５０１（現用系），１５０２（予備系）、２つの送信ＩＦ部１６０１（現用系），１６０２（予備系）から構成される。
【００２１】
図２は、本発明の第１の実施の形態における受信側無瞬断切替装置の構成を示す。
【００２２】
同図に示す受信側無瞬断切替装置２００は、２つの受信ＩＦ部２１０１，２１０２、２つのクライアント信号復元部２２０１，２２０２、遅延検出部２３０、外部通信部２４０、信号選択部２５０、送信ＩＦ部２６０から構成される。
【００２３】
送信側伝送装置１００における受信IF部１１０は、クライアント信号を光信号から電気信号に変換し、クライアント信号のデータリカバリを行う。リカバリされたクライアント信号は現用系及び予備系に分岐され、クライアント信号はメモリ１４０１（現用系），１４０２（予備系）にそれぞれ入力される。メモリ１４０１（現用系），１４０２（予備系）は一時的にクライアント信号を記憶する役割を果たし、このメモリ１４０にはDRAM(Dynamic Random Access Memory)やSRAM (Static Random Access Memory)などを用いることが可能であり、書き込みと読出しを非同期で行えることが望ましい。送信量調整部１３０では外部通信部１２０から通知される遅延差情報をもとに現用系メモリ１４０１及び予備系メモリ１４０２の読出し量を調整する。例えば、予備系の遅延に対して現用系の遅延が小さい場合，現用系から送信するデータ量を徐々に減らし遅延量を増加させる。伝送する伝送フレーム信号のビットレートは変化しないため、送信するクライアント信号のデータ量を減らした分、伝送フレームにはスタッフバイト(情報を持たないバイト)を挿入しレート調整を行う。マッピング部１５０１，１５０２にて先述したクライアント信号、スタッフバイト、伝送フレームのオーバヘッド等を挿入し、伝送フレームを形成する。伝送フレーム信号は送信IF部１６０１，１６０２にて電気信号から光信号に変換され、現用系伝送路２及び予備系伝送路３に出力される。また外部通信部１２０はOpS(Operation System)を通じて受信側から現用系及び予備系の遅延差の通知を受ける。外部通信部１２０はOpSを用いたものではなく、伝送路、電話、手紙などの通信手段を用いても構わず、通信手段は限定されるものではない。
【００２４】
一方、受信側無瞬断切替装置２００では、受信IF部２１０１，２１０２にて現用系伝送路及び予備系伝送路から入力される伝送フレーム信号を受信し、光信号から電気信号に変換しデータリカバリを行う。リカバリされた伝送フレーム信号はクライアント信号復元部２２０１，２２０２にそれぞれ入力され、伝送フレーム信号からクライアント信号が復元される。復元されたクライアント信号は遅延検出部２３０にて現用系及び予備系の遅延差を測定する。遅延差測定はクライアント信号内の固定パターンを予め設定し、現用系信号の検出位置と予備系信号の検出位置をメモリ（図示せず）内で比較することによって検出が可能である。検出された遅延差は外部通信部２４０を通じて送信側無瞬断切替装置１００へ通知される。外部通信部２４０には送信側無瞬断切替装置１００同様、OpS以外に伝送路、電話、手紙などの通信手段を用いても構わず、通知手段は限定されるものではない。また外部通信部２４０は遅延調整完了の通知を受信することが可能であり、遅延調整が送信側で完了した時点で受信側伝送装置に"調整完了"を通知し、その信号をもとに現用系から予備系、または、予備系から現用系に信号を切替える。信号の切替を行う信号選択部２５０はメモリまたはセレクタ回路等で構成することが可能であり、出力されるクライアント信号はビットの欠落なく現用系と予備系の間を切替える。最後に送信IF部２６０にて電気信号から光信号に変化し伝送路４へ送出する。
【００２５】
［第２の実施の形態］
図３は、本発明の第２の実施の形態における送信側無瞬断切替装置の構成を示す。
【００２６】
同図に示す送信側無瞬断切替装置３００は、２つの受信ＩＦ部３１０１，３１０２、外部通信部３２０、JC（Justification Contorol）制御部３３０、1ないし複数のメモリ３４０１〜３４０ｎ、1ないし複数のODU(Optical Data Unit)生成部３５０１〜３５０ｎ、２つの多重化（TDM Mux）部３６０１，３６０２、２つのOTU（Optical Transport Unit）生成部３７０１，３７０２、２つの送信ＩＦ部３８０１，３８０２から構成される。
【００２７】
図４は、本発明の第２の実施の形態における受信側無瞬断切替装置の構成を示す。
【００２８】
同図に示す受信側無瞬断切替装置４００は、２つの受信ＩＦ部４２０１，４２０２、２つのOTU終端部４２０１，４２０２、２つの多重分離（TDM Demux）部４３０１，４３０２、1ないし複数のODU終端部４４０１〜４４０ｎ、遅延差検出部４５０１，４５０２、信号選択部４６０１，４６０２、外部通信部４７０、２つの送信ＩＦ部４８０１，４８０２から構成される。
【００２９】
図３、図４において、第１の実施の形態との差分は、伝送フレームにOTN信号を用い、通信量調整機能にJC(Justification Control)処理を用いている点である。
【００３０】
クライアント信号をOTNフレームに収容し無瞬断にて切替を行うまでの一連の手順について説明する。
【００３１】
まず、送信側無瞬断切替装置３００において、クライアント信号を受信IF部３１０１，３１０２にて受信し、光信号から電気信号に変換しデータリカバリを行う。リカバリされたクライアント信号は一旦メモリ３４０１，３４０２内に記憶される。受信側無瞬断切替装置の外部通信部４７０から通知された遅延差情報を受信する外部通信部３２０から入力される遅延差情報をもとにJC制御部３３０では、メモリ３４０１〜３４０ｎから読み出されるクライアント信号の量をメモリ３４０１〜３４０ｎに通知することで、当該メモリから読み出すクライアント信号の量を制御する。またJC制御部３３０は、前述した遅延差情報をもとにODU生成時のNJO(Negative Justification Opportunity)及びPJO(Positive Justification Opportunity)の値を指示する。メモリ３４０１〜３４０ｎから読み出されたクライアント信号は、ODU生成部３５０１〜３５０ｎにてODUフレームに収容されその後、TDM Mux部３６０１，３６０２にて時分割多重により1ないし複数のODUフレームが多重される。その後OTU生成部３７０１，３７０２にてOH及びFEC(Forward Error Correction)が付与され最終段の送信IF部３８０１，３８０２にて電気信号から光信号に変換され伝送路に出力される。
【００３２】
通常JC制御部３３０は、クライアント信号及びOTN伝送装置の周波数偏差を吸収するためNJO及びPJOバイトを用いてスタッフまたはデータバイトの挿入を行う。クライアント信号の周波数が公称値と一致しかつOTN伝送装置側のクロックも公称値と一致している場合、NJOにはスタッフバイト、PJOにはデータバイトが挿入される。この状態から例えばクライアント信号の周波数が+ x ppmずれた場合、入力されるクライアント信号のビットレートが高くなるため、その差分を埋めるため定期的にNJOにはデータバイトが入力されることになる。遅延調整を行う場合、このJCを強制的に制御し、例えば現用系の遅延が予備系よりも小さい場合、現用系のJC制御では強制的にPJO及びNJOにスタッフバイトを挿入することで、送信するデータ量を減少させメモリ３４０内にクライアント信号を蓄積することで、予備系に遅延を与えることが可能である。
【００３３】
上述したJC制御部３３０における、JC処理はクライアント信号をOTNフレームにAMP (Asynchronous Mapping Procedure)を用いてマッピングを行った場合であり、GMP (Generic Mapping Procedure)でマッピングを行った場合も同様に送信するクライアント信号の量を制御することが可能である。GMPはクライアント信号のビットレートと収容するOTNフレームのペイロード容量から一意にクライアント信号のマッピング位置を決定することができるマッピング方法である。GMPでは通常1フレーム内に収容されているクライアント信号のブロック数Cmを送信する。JC処理同様、現用系の遅延が予備系の遅延に対して低い場合、Cmの値を下げマッピングされるクライアント信号の量を抑えることにより、遅延を付与することが可能である。
【００３４】
受信側無瞬断切替装置４００では現用系及び予備系のOTN信号を受信IF部４１０１，４１０２で受信し、光信号を電気信号に変換し、データ及びクロックのリカバリを行う。リカバリされたOTN信号はOTU終端部４２０１，４２０２にてOTU信号を終端する。終端の際デスクランブルやOHの監視、FECのデコードなどを行う。終端された信号はTDM Demux部４３０１，４３０２にて分割されODU終端部４４０１〜４４０ｎに入力される。各ODU終端部４４０１〜４４０ｎでは各々のODU信号が終端され、クライアント信号に復元される。主にODU終端部４４０ではODU OHの監視及びクライアント信号のクロック再生等を行う。遅延差検出部４５０１，４５０２は、予め定められた固定のビットパターンを、ODU終端部４４０１〜４４０ｎで終端された現用系及び予備系のクライアント信号から検出し、検出されたビットパターンの位置から遅延差を測定する。測定された遅延差は遅延差情報を外部通信部４７０に通知する。外部通信部４７０は、遅延差情報を送信側無瞬断切替装置３００に通知する。信号選択部４６０１では、遅延差検出部４５０１から現用系のクライアント信号を受信し、送信IF部４８０１へと出力する。信号選択部４６０２では、遅延差検出部４５０２から予備系のクライアント信号を受信し、送信IF部４８０２へと出力する。送信IF部４８０１，４８０２では電気信号を光信号に変換し、それぞれ伝送路４１，４２へと送出する。
【００３５】
図５は、本発明の第２の実施の形態における切替までのフローチャートを示す。同図では、現用系から予備系に切り替えを行うフローを示しており、予備系から現用系に切替える場合も同様である。まず支障移転や故障などにより切替要求が生じた場合、受信側無瞬断切替装置４００における遅延差検出部４５０にて遅延差の検出を行う（ステップ１０１）。検出された遅延差情報は外部通信部４７０を通じて送信側無瞬断切替装置３００へと通知される。ここで現用系の遅延が予備系の遅延よりも大きい場合（ステップ１０２,Yes）、JC制御部３３０では予備系のメモリ３４０ｍ、３４０ｎ及びODU生成部３５０ｍ、３５０ｎに対して、強制的にスタッフバイトを挿入するよう通知を行う（ステップ１０３）。メモリ３４０ｍ、３４０ｎ及びODU生成部３５０ｍ、３５０ｎでは、所望のスタッフバイトを挿入し、送信するデータの量を増やした後（ステップ１０４）、遅延調整完了を受信側無瞬断切替装置４００に通知し、再度受信側無瞬断切替装置４００では遅延差の検出を行う（ステップ１０１）。遅延差が0の場合（ステップ１０２,No、ステップ１０５,No）、受信側無瞬断切替装置４００内の信号選択部４６０を現用系から予備系に切替え（ステップ１０８）、無瞬断切替のフローを終了する。遅延差が0でない場合は再度上述した遅延調整処理を行う。因みに、現用系の遅延が予備系よりも小さい場合は（ステップ１０５,Yes）、現用系のメモリ３４０１，３４０２及びODU生成部３５０１，３５０２にて強制的にスタッフバイトが挿入されるよう通知を行い（ステップ１０６）、ODU生成部３５０１，３５０２でOTNフレーム内にスタッフバイトを挿入し、送信するデータ量を減らす（ステップ１０７）。
【００３６】
なお、切替フローは一般的なものであり、このフローに限られるものではない。
【００３７】
［第３の実施の形態］
本実施の形態では、受信側無瞬断切替装置において、伝送フレームの状態で遅延差を検出し、クライアント信号復元部の数を削減した構成について説明する。
【００３８】
図６は、本発明の第３の実施の形態における受信側無瞬断切替装置の構成を示す。
【００３９】
同図に示す受信側無瞬断切替装置５００は、現用系の受信ＩＦ部５１０１、予備系の受信ＩＦ５１０２，遅延差検出部５２０、信号選択部５３０、外部通信部５４０、クライアント信号復元部５５０、送信ＩＦ部５６０から構成される。
【００４０】
本実施の形態における送信側無瞬断切替装置は、第１の実施の形態における送信側無瞬断切替装置１００、または、第２の実施の形態における送信側無瞬断切替装置３００のいずれも適応可能であり、第１の実施の形態または第２の実施の形態との差分は、受信側無瞬断切替装置５００の遅延差検出部５２０がクライアント信号復元部５５０の前段に配され、クライアント信号復元部５５０の個数が低減されている点である。
【００４１】
そのため、遅延差検出部５２０は、伝送フレームまたはOTNフレームから直接、遅延差の検出を行う。遅延差検出は伝送フレームまたはOTNフレームの特定のビットパターン、例えば、フレーム同期を行うFAS (Frame Alignment Signal)やマルチフレームを示すMFAS (Multi Frame Alignment Signal)などの固定ビットパターンを用いることが可能である。遅延差検出部５２０は、伝送フレームを終端せずに遅延差を検出するため、最大で1フレーム分の遅延誤差が発生する場合がある。そのため無瞬断での切り替えは困難であるが、1フレーム時間の信号断が許容される場合、このような構成をとることにより伝送装置のコストを抑えることが可能になる。
【００４２】
遅延差検出後の動作は、第１の実施の形態、または、第２の実施の形態と同様に外部通信部５４０を通じて送信側無瞬断切替装置１００（または３００）へ通知され、信側無瞬断切替装置１００（または３００）では、第１の実施の形態、または、第２の実施の形態と同様に送信するクライアント信号のデータ量を調整する。
【００４３】
［第４の実施の形態］
本実施の形態では、共有メモリ機構を取り入れ、装置全体のメモリ世量を提言させた送信側無瞬断切替装置の構成について説明する。
【００４４】
図７は、本発明の第４の実施の形態における送信側無瞬断切替装置の構成を示す。
【００４５】
同図に示す送信側無瞬断切替装置６００は、受信ＩＦ部６１０、第１の信号選択部６２０１，６２０２、第２の信号選択部６３０１，６３０２、共有メモリ６４０、外部通信部６５０、送信量調整部６６０、マッピング部６７０１，６７０２、送信ＩＦ部６８０１，６８０２から構成される。
【００４６】
第４の実施の形態における受信側無瞬断切替装置には、第１〜第３の実施の形態で示した受信側無瞬断切替装置をそのまま適用することが可能である。
【００４７】
第１〜第３の実施の形態との差分は、共有メモリ６４０、及び第１、第２の信号選択部６３０，６４０を具備している点である。共有メモリ６４０が拡張可能な構成になっており、またメモリを共有化することにより、各経路に必要なメモリ数を個別に備える必要がなく、全体のメモリ容量を削減することが可能である。
【００４８】
第１、第２の信号選択部６２０，６３０及び共有メモリ６４０に関する機能について説明を行う。
【００４９】
切替を必要としない場合、共有メモリ６４０にはクライアント信号が入力されないよう第１の信号選択部６２０１，６２０２にてクライアント信号の出力先を決定する。遅延調整が必要な場合のみ第１の信号選択部６２０１，６２０２は、共有メモリ６４０にクライアント信号を出力する。なお第１の信号選択部６２０１，６２０２は信号を選択する機能及び信号を分岐する機能を持つことが望ましい。第２の信号選択部６３０１，６３０２は通常運用時、第１の信号選択部６２０１，６２０２から出力されるクライアント信号を選択し、後段のマッピング部６７０１，６７０２に出力する。遅延調整が必要な場合のみ共有メモリ６４０から出力されるクライアント信号を選択し、後段のマッピング部６７０１，６７０２に出力する。
【００５０】
なお第１の信号選択部６２０１，６２０２から第２の信号選択部６３０１，６３０２に出力される信号と第１の信号選択部６２０１，６２０２から共有メモリ６４０を介し第２の信号選択部６３０１，６３０２に出力される信号との位相を合わせておく必要がある。
【００５１】
以上、本発明の実施の形態について詳述したが、本発明は上述した特定の実施形態に限定されるものではなく、特許請求の範囲に記載された本発明の要旨の範囲内において、種々の変形及び変更が可能である。
【符号の説明】
【００５２】
１  光ファイバ
２  光ファイバ（現用系）
３  光ファイバ（予備系）
４  光ファイバ
１００  送信側無瞬断切替装置
１１０  受信インタフェース（ＩＦ）部
１２０  外部通信部
１３０  送信量調整部
１４０  メモリ
１５０  マッピング部
１６０  送信ＩＦ部
２００  受信側無瞬断切替装置
２１０  受信ＩＦ部
２２０  クライアント信号復元部
２３０  遅延検出部
２４０  外部通信部
２５０  信号選択部
２６０  送信ＩＦ部
３００  送信側無瞬断切替装置
３１０  受信ＩＦ部
３２０  外部通信部
３３０  JC制御部
３４０  メモリ
３５０  ODU生成部
３６０  TDM Mux部
３７０  OTU生成部
３８０  送信ＩＦ部
４００  受信側無瞬断切替装置
４１０  受信ＩＦ部
４２０  OTU終端部
４３０  TDM Demux
４４０  ODU終端部
４５０  遅延差検出部
４６０  信号選択部
４７０  外部通信部
４８０  送信ＩＦ部
５００  受信側無瞬断切替装置
５１０  受信ＩＦ部
５２０  遅延差検出部
５３０  信号選択部
５４０  外部通信部
５５０  クライアント信号復元部
５６０  送信ＩＦ部
６００  送信側無瞬断切替装置
６１０  受信ＩＦ部
６２０  第１信号選択部
６３０  第２信号選択部
６４０  共有メモリ
６５０  外部通信部
６６０  送信量調整部
６７０  マッピング部
６８０  送信ＩＦ部
【図１】
0005550539.tif 000002
【図２】
0005550539.tif 000003
【図３】
0005550539.tif 000004
【図４】
0005550539.tif 000005
【図５】
0005550539.tif 000006
【図６】
0005550539.tif 000007
【図７】
0005550539.tif 000008